(57)【要約】【課題】本考案は、非常に実用的な筋交い連結具を提案することを目的とする。【解決手段】左右の縦材や上下の横材などの骨材間にＸ字状に配設され、一の方向に斜設される筋交いａと、他の方向に斜設され前記筋交いａにより分断される一対の半筋交いｂ’から成る筋交いｂとの交差部を連結する筋交い連結具であって、前記交差部の正面部に配される正面体１と背面部に配され該正面体１と同構造の背面体２とで構成されたものである。【選択図】図１
0003213474.tif 000002
【実用新案登録請求の範囲】
【請求項１】
左右の縦材や上下の横材などの骨材間にＸ字状に配設され、一の方向に斜設される筋交いａと、他の方向に斜設され前記筋交いａにより分断される一対の半筋交いから成る筋交いｂとの交差部を連結する筋交い連結具であって、前記交差部の正面部に配される正面体と背面部に配され該正面体と同構造の背面体とで構成され、前記正面体は、前記筋交いａの正面に重合固定される第一板状部と、この第一板状部に連設され前記半筋交いの正面に重合固定される第二板状部と、この左右の第二板状部の一側縁部に連設され前記半筋交いの側面に重合固定される第三板状部と、前記第一板状部の一側縁部に連設され前記筋交いａの正面に重合固定される第四板状部とで構成されていることを特徴とする筋交い連結具。
【請求項２】
請求項１記載の筋交い連結具において、前記正面体及び前記背面体の第四板状部は、夫々第二板状部の一側縁部まで延設されていることを特徴とする筋交い連結具。
【請求項３】
請求項１，２いずれか１項に記載の筋交い連結具において、前記正面体及び前記背面体の第四板状部は、夫々左右の第三板状部に連設されていることを特徴とする筋交い連結具。
【請求項４】
請求項１〜３いずれか１項に記載の筋交い連結具において、前記正面体及び前記背面体の第一板状部及び第四板状部には、前記筋交いａに重合した状態で止着部材を貫通する止着孔が該筋交いａの長さ方向と交差する方向に並設されており、前記筋交いａと前記筋交いｂとが交差する角度に応じて止着するための前記止着孔を選択し得るように構成されていることを特徴とする筋交い連結具。
【請求項５】
請求項１〜４いずれか１項に記載の筋交い連結具において、前記正面体及び前記背面体の第一板状部及び第二板状部は適宜な金属製の板材で構成され、第三板状部は、左右の第二板状部の一側部を折曲して形成したものであることを特徴とする筋交い連結具。
【考案の詳細な説明】
【技術分野】
【０００１】
本考案は、筋交い連結具に関するものである。
【背景技術】
【０００２】
従来から、左右の縦材や上下の横材などの骨材間にＸ字状に配設され、一の方向に斜設される筋交いと、他の方向に斜設され前記筋交いにより分断される一対の半筋交いから成る筋交いとの交差部を連結する筋交い連結具として、特開平１１−６２０８に開示される筋交い連結具（以下、従来例）が提案されている。
【０００３】
この従来例は、筋交いの正面に重合固定される第一板状部と、この第一板状部の左右に連設され半筋交いの正面に重合固定される第二板状部と、この左右の第二板状部夫々の側縁部に連設され半筋交いの側面に重合固定される第三板状部とで構成されたものであり、前記両筋交いを簡易に連結することができる。
【先行技術文献】
【特許文献】
【０００４】
【特許文献１】特開平１１−６２０８号公報
【考案の概要】
【考案が解決しようとする課題】
【０００５】
本考案者は、前述した両筋交いを連結する筋交い連結具について更に開発を進めた結果、非常に実用的な筋交い連結具を考案した。
【課題を解決するための手段】
【０００６】
添付図面を参照して本考案の要旨を説明する。
【０００７】
左右の縦材や上下の横材などの骨材間にＸ字状に配設され、一の方向に斜設される筋交いａと、他の方向に斜設され前記筋交いａにより分断される一対の半筋交いｂ’から成る筋交いｂとの交差部を連結する筋交い連結具であって、前記交差部の正面部に配される正面体１と背面部に配され該正面体１と同構造の背面体２とで構成され、前記正面体１は、前記筋交いａの正面に重合固定される第一板状部１ａと、この第一板状部１ａに連設され前記半筋交いｂ’の正面に重合固定される第二板状部１ｂと、この左右の第二板状部１ｂの一側縁部に連設され前記半筋交いｂ’の側面に重合固定される第三板状部１ｃと、前記第一板状部１ａの一側縁部に連設され前記筋交いａの正面に重合固定される第四板状部１ｄとで構成されていることを特徴とする筋交い連結具に係るものである。
【０００８】
また、請求項１記載の筋交い連結具において、前記正面体１及び前記背面体２の第四板状部１ｄ，２ｄは、夫々第二板状部１ｂ，２ｂの一側縁部まで延設されていることを特徴とする筋交い連結具に係るものである。
【０００９】
また、請求項１，２いずれか１項に記載の筋交い連結具において、前記正面体１及び前記背面体２の第四板状部１ｄ，２ｄは、夫々左右の第三板状部１ｃ，２ｃに連設されていることを特徴とする筋交い連結具に係るものである。
【００１０】
また、請求項１〜３いずれか１項に記載の筋交い連結具において、前記正面体１及び前記背面体２の第一板状部１ａ，２ａ及び第四板状部１ｄ，２ｄには、前記筋交いａに重合した状態で止着部材10を貫通する止着孔３，４が該筋交いａの長さ方向と交差する方向に並設されており、前記筋交いａと前記筋交いｂとが交差する角度に応じて止着するための前記止着孔３，４を選択し得るように構成されていることを特徴とする筋交い連結具に係るものである。
【００１１】
また、請求項１〜４いずれか１項に記載の筋交い連結具において、前記正面体１及び前記背面体２の第一板状部１ａ，２ａ及び第二板状部１ｂ，２ｂは適宜な金属製の板材で構成され、第三板状部１ｃ，２ｃは、左右の第二板状部１ｂ，２ｂの一側部を折曲して形成したものであることを特徴とする筋交い連結具に係るものである。
【考案の効果】
【００１２】
本考案は上述のように構成したから、両筋交いを簡易且つ堅固に連結することができるなど、非常に実用的な筋交い連結具となる。
【図面の簡単な説明】
【００１３】
【図１】本実施例を示す斜視図である。
【図２】本実施例の要部を示す斜視図である。
【図３】本実施例を用いた筋交いａと筋交いｂの連結状態を説明する斜視図である。
【図４】本実施例を用いた筋交いａと筋交いｂの連結状態を説明する断面図である。
【図５】本実施例を用いた筋交いａと筋交いｂの連結状態を説明する断面図である。
【図６】本実施例の使用状態説明図である。
【図７】本実施例の使用状態説明図である。
【図８】本実施例の使用状態説明図である。
【考案を実施するための形態】
【００１４】
好適と考える本考案の実施形態を、図面に基づいて本考案の作用を示して簡単に説明する。
【００１５】
筋交いａと筋交いｂとの交差部を連結する場合、例えば、この交差部の正面部に正面体１を配して連結するとともに、交差部の背面部に背面体２を配して連結する。
【００１６】
具体的には、正面体１の第一板状部１ａを筋交いａの正面に重合状態とし、第二板状部１ｂを半筋交いｂ’の正面に重合状態とし、第三板状部１ｃを半筋交いｂ’の側面に重合状態とし、第四板状部１ｄを筋交いａの正面に重合状態となるように配して連結する。尚、背面体２も同様に配して連結する。
【００１７】
従って、筋交いａと筋交いｂとを簡易に連結することができ、しかも、正面体１及び背面体２を用いて交差部の正面部及び背面部において筋交いａ，ｂを連結するため、それだけ堅固な連結となり、更に、第四板状部１ｄ，２ｄの存在により、筋交い連結具自体の強度が上がる為、それだけ筋交いａ，ｂの連結が堅固となる。
【実施例】
【００１８】
本考案の具体的な実施例について図面に基づいて説明する。
【００１９】
本実施例は、左右の縦材30ａや上下の横材30ｂなどの骨材間にＸ字状に配設され、一の方向に斜設される筋交いａと、他の方向に斜設され筋交いａにより分断される一対の半筋交いｂ’から成る筋交いｂとの交差部を連結する筋交い連結具であって、交差部の正面部に配される正面体１と背面部に配される背面体２で構成されたものである。
【００２０】
この正面体１及び背面体２は同構造であり、筋交いａ，ｂに重合固定される第一板状部１ａ，２ａと、この第一板状部１ａ，２ａの左右に連設され半筋交いｂ’夫々に重合固定される第二板状部１ｂ，２ｂと、この左右の第二板状部１ｂ，２ｂ夫々の一側縁部に連設され半筋交いｂ’夫々の側面に重合固定される第三板状部１ｃ，２ｃと、第一板状部１ａ，２ａ及び第二板状部１ｂ，２ｂに連設され筋交いａに重合固定される第四板状部１ｄ，２ｄとで構成されている。
【００２１】
具体的には、正面体１及び背面体２は、図１〜３に図示したように適宜な金属製の部材で形成した長方形状板状体であり、その中央の領域を筋交いａに重合固定される第一板状部１ａ，２ａとし、この第一板状部１ａ，２ａの左右の領域を半筋交いｂ’夫々に重合固定される第二板状部１ｂ，２ｂとしている。
【００２２】
また、第三板状部１ｃ，２ｃは、図１〜３に図示したように適宜な金属製の部材で形成したものであり、左右の第二板状部１ｂ，２ｂの一側部に一体に設けられた突片を直角に折曲して形成したものである。尚、第三板状部１ｃ，２ｃは別体でも良い。
【００２３】
また、第四板状部１ｄ，２ｄは、図１〜３に図示したように適宜な金属製の板状部材で形成したものであり、第一板状部１ａ，２ａ及び第二板状部１ｂ，２ｂに溶接して設けられている。
【００２４】
従って、この第四板状部１ｄ，２ｄにより、第一板状部１ａ，２ａ及び第二板状部１ｂ，２ｂの長さ方向における湾曲変形を抑制するように補強される。
【００２５】
また、第四板状部１ｄ，２ｄは、溶接の肉盛部位９を介して左右の第三板状部１ｃ，２ｃに重合状態に連設されている（図２参照）。
【００２６】
従って、この点においても第一板状部１ａ，２ａ及び第二板状部１ｂ，２ｂの長さ方向における湾曲変形を抑制するように補強される。尚、本実施例では、肉盛部位９を設けて第四板状部１ｄ，２ｄを左右の第三板状部１ｃ，２ｃに重合状態に連設しているが、第四板状部１ｄ，２ｄの厚みを厚くするなど、第四板状部１ｄ，２ｄを直接、左右の第三板状部１ｃ，２ｃに重合状態に連設するようにしても良い。
【００２７】
また、本実施例は、第一板状部１ａ，２ａの側縁部及び第四板状部１ｄ，２ｄの側縁部には、筋交いａに重合した状態で止着部材10を貫通する止着孔３，４が該筋交いａの長さ方向と交差する方向（側縁部に沿った状態）に並設されている。
【００２８】
従って、例えば左右の縦材31ａや上下の横材32ｂなどの骨材の寸法によって異なる筋交いａと筋交いｂとが交差する角度に応じて止着するための止着孔３，４を選択し得ることになる（図７，８参照）。
【００２９】
また、第一板状部１ａ，２ａの中央部にも止着孔３が設けられている。
【００３０】
また、本実施例は、第二板状部１ｂ，２ｂには、筋交いｂ（半筋交いｂ’）に重合した状態で止着部材10を貫通する止着孔５，６が設けられ、更に、第三板状部１ｃ，２ｃには、筋交いｂ（半筋交いｂ’の側面）に重合した状態で止着部材10を貫通する止着孔７，８が設けられている。
【００３１】
また、本実施例は、筋交いａ及び筋交いｂ（半筋交いｂ’）の複数の幅に対応できるよう、第一板状部１ａ，２ａ及び第二板状部１ｂ，２ｂの幅を筋交いａ及び筋交いｂ（半筋交いｂ’）の大きな幅寸法に設定している（図４，５参照）。
【００３２】
本実施例は上述のように構成したから、筋交いａと筋交いｂとの交差部を連結する場合、例えば、この交差部の正面部に正面体１を配して連結するとともに、交差部の背面部に背面体２を配して連結する。
【００３３】
具体的には、正面体１の第一板状部１ａを筋交いａの正面に重合状態とし、第二板状部１ｂを半筋交いｂ’の正面に重合状態とし、第三板状部１ｃを半筋交いｂ’の側面に重合状態とし、第四板状部１ｄを筋交いａの正面に重合状態となるように配して連結する。尚、背面体２も同様に背面に配して連結する。
【００３４】
この状態で、例えば、第一板状部１ａ，２ａと第四板状部１ｄ，２ｄを筋交いａに固定し、続いて、第二板状部１ｂ，２ｂと第三板状部１ｃ，２ｃを半筋交いｂ’に固定するなど、任意の順番で第一板状部１ａ，２ａ、第二板状部１ｂ，２ｂ、第三板状部１ｃ，２ｃ及び第四板状部１ｄ，２ｄを筋交いａ及び筋交いｂに固定することで完了する。
【００３５】
よって、本実施例によれば、筋交いａと筋交いｂとを簡易に連結することができ、しかも、正面体１及び背面体２を用いて交差部の正面部及び背面部において筋交いａ，ｂを連結するため、それだけ堅固な連結となり、更に、第四板状部１ｄ，２ｄの存在により、板幅が厚くなるなど筋交い連結具自体の強度が上がる為、筋交いａ，ｂの連結が堅固となる。
【００３６】
また、本実施例は、正面体１及び背面体２の第四板状部１ｄ，２ｄは、夫々第二板状部１ｂ，２ｂの一側縁部まで延設され、且つ、夫々左右の第三板状部１ｃ，２ｃに連設されているから、より一層筋交い連結具自体の強度が向上することになる。
【００３７】
また、本実施例は、正面体１及び背面体２の第一板状部１ａ，２ａ及び第四板状部１ｄ，２ｄには、筋交いａに重合した状態で止着部材10を貫通する止着孔３，４が該筋交いａの長さ方向と交差する方向に並設されており、筋交いａと筋交いｂとが交差する角度に応じて止着するための止着孔３，４を選択し得るように構成されているから、確実に最適な位置に止着部材10を止着させることができる。
【００３８】
また、本実施例は、正面体１及び背面体２の第一板状部１ａ，２ａ及び第二板状部１ｂ，２ｂは適宜な金属製の板材で構成され、第三板状部１ｃ，２ｃは、左右の第二板状部１ｂ，２ｂの一側部を折曲して形成したものであるから、前述した作用効果を簡易構造で達成することができる。
【００３９】
尚、本考案は、本実施例に限られるものではなく、各構成要件の具体的構成は適宜設計し得るものである。
【符号の説明】
【００４０】
ａ  筋交い
ｂ  筋交い
ｂ’  半筋交い
１  正面体
１ａ  第一板状部
１ｂ  第二板状部
１ｃ  第三板状部
１ｄ  第四板状部
２  背面体
２ａ  第一板状部
２ｂ  第二板状部
２ｃ  第三板状部
２ｄ  第四板状部
３  止着孔
４  止着孔
【図１】
0003213474.tif 000003
【図２】
0003213474.tif 000004
【図３】
0003213474.tif 000005
【図４】
0003213474.tif 000006
【図５】
0003213474.tif 000007
【図６】
0003213474.tif 000008
【図７】
0003213474.tif 000009
【図８】
0003213474.tif 000010